(57)【要約】【課題】作業スペースが狭い場合であっても型枠セパレータを容易に折り曲げることができる型枠セパレータ用折曲工具を提供する。【解決手段】型枠セパレータ用折曲工具１０は型枠セパレータを挟む挟持部２０と、挟持部２０に連結される把持部３０と、挟持部２０に対する把持部３０の姿勢を変更する変更部４０とを備える。【選択図】図３
2019214910.tif 000002
【特許請求の範囲】
【請求項１】
型枠セパレータを挟む挟持部と、
前記挟持部に連結される把持部と、
前記挟持部に対する前記把持部の姿勢を変更する変更部とを備える
型枠セパレータ用折曲工具。
【請求項２】
前記把持部は前記挟持部に対して回転可能に設けられ、
前記変更部は前記挟持部に対して前記把持部が回転できる方向を規定するラチェット機構を含む
請求項１に記載の型枠セパレータ用折曲工具。
【請求項３】
前記変更部は前記把持部に設けられ、
前記把持部と前記挟持部とを連結する連結軸をさらに備え、
前記把持部および前記挟持部は前記連結軸の軸線方向に沿って設けられる
請求項２に記載の型枠セパレータ用折曲工具。
【請求項４】
前記挟持部は第１挟持面、および、前記第１挟持面と対向する第２挟持面を含み、
前記第１挟持面は前記型枠セパレータのうちの型枠を支持する支持部の上面と接触するように設けられ、
前記第２挟持面は前記型枠セパレータのうちの前記支持部から突出する係止片の端面と接触するように設けられる
請求項１〜３のいずれか一項に記載の型枠セパレータ用折曲工具。
【請求項５】
型枠セパレータを挟む複数の挟持部と、
前記複数の挟持部と連結される把持部とを備える
型枠セパレータ用折曲工具。
【請求項６】
前記把持部は棒状であり、
前記複数の挟持部は前記型枠セパレータのうちの型枠を支持する支持部から突出する係止片と接触するように設けられる挟持面を備え、
前記挟持面は正面視における前記把持部の中心軸に対して一方側に設けられる挟持面、および、前記中心軸に対して他方側に設けられる挟持面を含み、
正面視における前記一方側に設けられる挟持面と前記中心軸とのなす角度と、前記他方側に設けられる挟持面と前記中心軸とのなす角度とが異なる
請求項５に記載の型枠セパレータ用折曲工具。
【発明の詳細な説明】
【技術分野】
【０００１】
本発明は型枠セパレータ用折曲工具に関する。
【背景技術】
【０００２】
建築物の基礎の製造においては、型枠セパレータによって保持される複数の型枠内にコンクリートが流し込まれ、コンクリートが硬化することによって型枠の形状に応じた基礎が形成される。型枠は基礎が形成された後に工具によって型枠セパレータの端部が折り曲げられて脱枠される。特許文献１は型枠セパレータを折り曲げる工具の一例としてのバール(２１)を開示している。
【先行技術文献】
【特許文献】
【０００３】
【特許文献１】特開２０００−１５４６４６号公報
【発明の概要】
【発明が解決しようとする課題】
【０００４】
建築物の基礎の施工現場では、基礎同士の間隔が狭い場合等、型枠セパレータを折り曲げるための作業スペースを十分に確保できないことがある。このため、脱枠作業が煩雑になるおそれがある。
【課題を解決するための手段】
【０００５】
(１)本発明に関する型枠セパレータ用折曲工具は型枠セパレータを挟む挟持部と、前記挟持部に連結される把持部と、前記挟持部に対する前記把持部の姿勢を変更する変更部とを備える。
上記型枠セパレータ用折曲工具によれば、作業スペースに応じて把持部の姿勢を変更することができる。このため、作業スペースが狭い場合であっても型枠セパレータを容易に折り曲げることができる。
【０００６】
(２)好ましい例では(１)に記載の型枠セパレータ用折曲工具において、前記把持部は前記挟持部に対して回転可能に設けられ、前記変更部は前記挟持部に対して前記把持部が回転できる方向を規定するラチェット機構を含む。
このため、挟持部に対する把持部の位置を容易に変更できる。
【０００７】
(３)好ましい例では(２)に記載の型枠セパレータ用折曲工具において、前記変更部は前記把持部に設けられ、前記把持部と前記挟持部とを連結する連結軸をさらに備え、前記把持部および前記挟持部は前記連結軸の軸線方向に沿って設けられる。
型枠セパレータの形状に応じて連結軸に取り付けられる挟持部を交換できるため、利便性が高められる。
【０００８】
(４)好ましい例では(１)〜(３)のいずれか一項に記載の型枠セパレータ用折曲工具において、前記挟持部は第１挟持面、および、前記第１挟持面と対向する第２挟持面を含み、前記第１挟持面は前記型枠セパレータのうちの型枠を支持する支持部の上面と接触するように設けられ、前記第２挟持面は前記型枠セパレータのうちの前記支持部から突出する係止片の端面と接触するように設けられる。
このため、型枠セパレータを容易に挟むことができる。
【０００９】
(５)本発明に関する型枠セパレータ用折曲工具は型枠セパレータを挟む複数の挟持部と、前記複数の挟持部と連結される把持部とを備える。
上記型枠セパレータ用折曲工具によれば、複数の挟持部のうちから作業スペースに応じた挟持部を選択できる。このため、作業スペースが狭い場合であっても型枠セパレータを容易に折り曲げることができる。
【００１０】
(６)好ましい例では(５)に記載の型枠セパレータ用折曲工具において、前記把持部は棒状であり、前記複数の挟持部は前記型枠セパレータのうちの型枠を支持する支持部から突出する係止片と接触するように設けられる挟持面を備え、前記挟持面は正面視における前記把持部の中心軸に対して一方側に設けられる挟持面、および、前記中心軸に対して他方側に設けられる挟持面を含み、正面視における前記一方側に設けられる挟持面と前記中心軸とのなす角度と前記他方側に設けられる挟持面と前記中心軸とのなす角度とが異なる。
なす角度が小さい方の挟持面を含む挟持部を利用して、型枠セパレータを所定角度まで折り曲げた後、なす角度が大きい方の挟持面を含む挟持部を利用して、型枠セパレータをさらに折り曲げることができる。このため、型枠セパレータを容易に折り曲げることができる。
【発明の効果】
【００１１】
本発明に関する型枠セパレータ用折曲工具によれば、作業スペースが狭い場合であっても型枠セパレータを容易に折り曲げることができる。
【図面の簡単な説明】
【００１２】
【図１】型枠セパレータが取り付けられた状態の型枠の斜視図。
【図２】図１の型枠セパレータの斜視図。
【図３】第１実施形態の型枠セパレータ用折曲工具の斜視図。
【図４】図３の型枠セパレータ用折曲工具を型枠セパレータにセットした状態の側面図。
【図５】図４の状態から型枠セパレータが折り曲げられた状態の側面図。
【図６】図５の状態から把持部を第１方向ＲＡに回転させた状態の側面図。
【図７】図６の状態からさらに型枠セパレータが折り曲げられた状態の側面図。
【図８】第２実施形態の型枠セパレータ用折曲工具の正面図。
【図９】図８の型枠セパレータ用折曲工具の機能部およびその周辺の拡大図。
【図１０】図８の型枠セパレータ用折曲工具の一方の挟持部を型枠セパレータにセットした状態の正面図。
【図１１】図１０の型枠セパレータ用折曲工具の機能部およびその周辺の拡大図。
【図１２】図１０の状態から把持部を回転させた状態の正面図。
【図１３】図１２の型枠セパレータ用折曲工具の機能部およびその周辺の拡大図。
【図１４】図１３の型枠セパレータ用折曲工具の他方の挟持部を型枠セパレータにセットした状態の正面図。
【図１５】図１４の型枠セパレータ用折曲工具の機能部およびその周辺の拡大図。
【図１６】図１４の状態から把持部を回転させた状態の正面図。
【図１７】図１６の型枠セパレータ用折曲工具の機能部およびその周辺の拡大図。
【発明を実施するための形態】
【００１３】
(第１実施形態)
建築物の基礎の施工においては、地盤に根切りおよび地業等の施工をした後、図１に示されるように、一対の型枠２００が対向するように設置される。型枠セパレータ１００は一対の型枠２００が所定間隔を開けて互いに平行となるように保持し、かつ、型枠２００内に打設されるコンクリートの側圧に対抗して型枠２００を支持するために一対の型枠２００に取り付けられる。形成される基礎が高い場合、型枠２００が上下方向において複数段に積み重ねて配置される。この場合、例えば、図２に示される型枠セパレータ１００が用いられる。
【００１４】
型枠セパレータ１００を構成する材料は例えば、鉄である。型枠セパレータ１００は対向して設置される一対の型枠２００の所定間隔に応じた長さを有する直線形状の本体１１０、および、本体１１０の両端に設けられる支持部１２０を備える。支持部１２０は一対の型枠２００の厚さに応じた間隔で本体１１０の長手方向において対向するように折り曲げられた係止片１３０を備える。係止片１３０は上方向に折り曲げられる第１係止片１３１、および、下方向に折り曲げられる第２係止片１３２を含む。本体１１０と支持部１２０との接続部分には、切込溝１４０が設けられている。切込溝１４０は型枠セパレータ１００を一対の型枠２００に取り付けた場合に、型枠２００の内面とほぼ一致する位置に形成されている。
【００１５】
図１に示されるように、型枠セパレータ１００は上段の型枠２１０(以下、「上段型枠２１０」)と下段の型枠２２０(以下、「下段型枠２２０」)との間に支持部１２０が挟まれるように取り付けられる。上段型枠２１０および下段型枠２２０の設置手順の一例は次のとおりである。まず、一対の下段型枠２２０を所定間隔をあけて対向するように設置する。その後、第２係止片１３２の間を下段型枠２２０の上端部にはめ込むように型枠セパレータ１００を一対の下段型枠２２０に取り付ける。その後、上段型枠２１０の下端部が第１係止片１３１の間にはめ込まれるように上段型枠２１０を下段型枠２２０の上に設置する。型枠２００が設置された後、コンクリートが型枠２００内に打設される。
【００１６】
打設されたコンクリートが硬化することにより、型枠２００の形状に応じた基礎が形成される。型枠２００内のコンクリートが硬化した後、型枠２００は基礎から取り外される。型枠２００を基礎から取り外すとき、上段型枠２１０は、垂直上方に持ち上げることにより、基礎から容易に取り外すことができる。一方、下段型枠２２０は型枠セパレータ１００の第２係止片１３２によって移動が規制されている。このため、従来では、バール等の工具を用いて第２係止片１３２を含む支持部１２０を上方に湾曲するように変形させて下段型枠２２０を基礎から取り外していた。ただし、建築物の施工現場では、例えば、一対の下段型枠２２０と隣り合う別の一対の下段型枠２２０との間隔が狭いような場合、工具を使用するための十分な作業スペースを確保することが難しいことがある。図３等に示される型枠セパレータ用折曲工具１０は狭い作業スペースであっても型枠セパレータ１００を容易に折り曲げることができるように構成される工具である。
【００１７】
図３に示されるように、型枠セパレータ用折曲工具１０を構成する主な要素は型枠セパレータ１００を挟む挟持部２０、挟持部２０に連結される把持部３０、挟持部２０に対する把持部３０の姿勢を変更する変更部４０、および、挟持部２０と把持部３０とを連結する連結部５０である。
【００１８】
挟持部２０を構成する材料は任意に選択可能である。好ましい例では、挟持部２０は型枠セパレータ１００を折り曲げるときに変形しないように剛性の高い材料により構成される。その一例は、鉄である。挟持部２０は複数のプレート２１、複数のプレート２１に形成される凹部２２、複数のプレート２１を貫通する孔２３、および、孔２３に嵌め込まれるナット２４を含む。複数のプレート２１とナット２４との結合手段は任意に選択可能である。第１例では、複数のプレート２１とナット２４との結合手段は溶接である。第２例では、複数のプレート２１とナット２４との結合手段はねじおよび接着剤である。なお、挟持部２０を１枚のプレート２１によって構成することもできる。
【００１９】
挟持部２０の最大の厚さＤＡは任意に選択可能である。厚さＤＡは複数のプレート２１の厚さの和である。厚さＤＡの最大値の一例は３０ｍｍである。厚さＤＡの最小値の一例は１０ｍｍである。厚さＤＡの好ましい一例は２５ｍｍである。
【００２０】
凹部２２は型枠セパレータ１００を挟み込むことができる形状である。一例では、凹部２２は型枠セパレータ１００の係止片１３０を挟み込むことができる形状である。凹部２２は第１挟持面２２Ａ、第２挟持面２２Ｂ、および、第３挟持面２２Ｃを備える。第１挟持面２２Ａは型枠セパレータ１００の支持部１２０の上面１２０Ａ(図２参照)と接触する面である。第１挟持面２２Ａの長さＬＡは任意に選択可能である。長さＬＡの最大値の一例は４０ｍｍである。長さＬＡの最小値の一例は１０ｍｍである。長さＬＡの好ましい一例は２５ｍｍである。
【００２１】
第２挟持面２２Ｂは第１挟持面２２Ａと対向する位置に設けられる。第２挟持面２２Ｂは第１挟持面２２Ａと平行に延びる。第２挟持面２２Ｂは第２係止片１３２の端面１３２Ａと接触する面である。第２挟持面２２Ｂの長さＬＢは任意に選択可能である。長さＬＢの最大値の一例は２０ｍｍである。長さＬＢの最小値の一例は３ｍｍである。長さＬＢの好ましい一例は５ｍｍである。長さＬＢと長さＬＡとの関係は任意に選択可能である。図３等に示される第１例では、長さＬＢは長さＬＡよりも短い。このため、第２挟持面２２Ｂが型枠セパレータ１００の周囲の物体と干渉しにくい。好ましい例では、長さＬＢは長さＬＡの半分以下である。このため、第２挟持面２２Ｂが型枠セパレータ１００の周囲の物体と一層干渉しにくい。第２例では、長さＬＢは長さＬＡよりも長い、または、長さＬＡと等しい。
【００２２】
第３挟持面２２Ｃは第２係止片１３２の外面１３２Ｂ(図２参照)と接触する面である。第３挟持面２２Ｃは第１挟持面２２Ａおよび第２挟持面２２Ｂと繋がる。第３挟持面２２Ｃの長さＬＣは任意に選択可能である。長さＬＣの最大値の一例は３０ｍｍである。長さＬＣの最小値の一例は２０ｍｍである。長さＬＣの好ましい一例は２５ｍｍである。より好ましい例では、長さＬＣは第２係止片１３２の長さＬＸ(図２参照)と実質的に等しい。
【００２３】
把持部３０はユーザに把持される部分である。把持部３０は連結部５０の連結軸５１回りに回転可能に設けられる。把持部３０は連結軸５１回りにおいて第１方向ＲＡまたは第２方向ＲＢに回転可能である。把持部３０の形状は任意に選択可能である。図３等に示される例では、把持部３０は棒状である。把持部３０を構成する材料は任意に選択可能である。好ましい例では、把持部３０は型枠セパレータ１００を折り曲げるときに力が加えられた場合に変形しないように剛性の高い材料により構成される。その一例は、鉄である。把持部３０の長さＬＤは任意に選択可能である。長さＬＤの最大値の一例は１０００ｍｍである。長さＬＤの最小値の一例は１５０ｍｍである。長さＬＤの好ましい一例は２５０ｍｍである。
【００２４】
変更部４０は把持部３０の一方の端部３１に設けられる。変更部４０は挟持部２０に対する把持部３０の回転が許容される方向(以下「回転許容方向」)を規定するラチェット機構４１、および、回転許容方向を変更するスイッチ４２を含む。このため、挟持部２０に対する把持部３０の位置を容易に変更できる。ラチェット機構４１は歯車および複数の爪(いずれも図示略)を含む公知の構成である。変更部４０は第１モードまたは第２モードに設定される。変更部４０が第１モードに設定される場合、把持部３０は第１方向ＲＡへの段階的な回転が許容され、第２方向ＲＢへの回転が規制される。すなわち、第１モードでは、歯車の第１方向ＲＡへの段階的な回転が許容され、第２方向ＲＢへの回転が規制されるように爪と歯車とが噛み合う。変更部４０が第２モードに設定されている場合、把持部３０は第２方向ＲＢへの段階的な回転が許容され、第１方向ＲＡへの回転が規制される。すなわち、第２モードでは、歯車の第２方向ＲＢへの段階的な回転が許容され、第１方向ＲＡへの回転が規制されるように爪と歯車とが噛み合う。スイッチ４２が操作された場合に歯車と噛み合う爪が変更されることによって、第１モードと第２モードとが切り換えられる。
【００２５】
連結部５０は挟持部２０と把持部３０とを連結する。連結部５０は連結軸５１を含む。連結軸５１の一例はボルトである。連結軸５１は平面視において軸線方向が把持部３０の長手方向と直交するように設けられる。挟持部２０および把持部３０は連結軸５１の軸線方向に沿って設けられる。連結軸５１は挟持部２０および把持部３０に挿入される。連結軸５１の長さＬＥは任意に選択可能である。長さＬＥは連結軸５１のヘッド５１Ａから先端部５１Ｂまでの長さである。長さＬＥの最大値の一例は１００ｍｍである。長さＬＥの最小値の一例は４０ｍｍである。長さＬＥの好ましい一例は５５ｍｍである。連結軸５１のヘッド５１Ａが把持部３０から離間する方向に移動するように連結軸５１を回転させることによって、挟持部２０を連結軸５１から取り外すことができる。このため、挟持部２０の交換を容易に行なうことができる。
【００２６】
図４〜図７を参照して、型枠セパレータ用折曲工具１０の使用方法の一例について説明する。なお、図４〜図７においては、一対の型枠２００のうちの上段型枠２１０、および、型枠２００内で形成された基礎の図示を省略している。
【００２７】
図４に示されるように、型枠セパレータ１００の折り曲げ作業においては、挟持部２０の凹部２２が型枠セパレータ１００の第２係止片１３２を挟み込むように型枠セパレータ用折曲工具１０がセットされる。このとき、第１挟持面２２Ａは支持部１２０の上面１２０Ａと接触し、第２挟持面２２Ｂは第２係止片１３２の端面１３２Ａと接触し、第３挟持面２２Ｃは第２係止片１３２の外面１３２Ｂと接触する。
【００２８】
変更部４０が第１モードに設定されている場合、ユーザは把持部３０が挟持部２０に対して第２方向ＲＢに回転するように力を加える。第１モードにおいては、把持部３０の第２方向ＲＢへの回転が変更部４０によって規制されているため、型枠セパレータ１００の支持部１２０は切込溝１４０を支点として、第２係止片１３２が下段型枠２２０から離間する方向に折り曲げられる。
【００２９】
型枠セパレータ１００が図４に示される状態から図５に示されるように折り曲げられた場合、型枠セパレータ用折曲工具１０の一部が基礎または周囲の物体に接近し、型枠セパレータ用折曲工具１０を回転させることが困難な状態になる場合がある。典型的な例では、型枠セパレータ用折曲工具１０の把持部３０が基礎に接近する。この場合、図６に示されるように、ユーザは把持部３０を第１方向ＲＡに回転させるように把持部３０に力を加える。変更部４０が第１モードに設定されている場合、把持部３０の第１方向ＲＡへの段階的な回転が許容されているため、把持部３０が第１方向ＲＡに回転する。把持部３０が図５に示される状態から図６に示される状態まで第１方向ＲＡに所定角度回転した場合、ユーザは把持部３０が第２方向ＲＢに回転するように力を加える。以上のような型枠セパレータ１００の折り曲げ作業が繰り返されることによって、型枠セパレータ１００の第２係止片１３２が下段型枠２２０から離間するため、下段型枠２２０を脱枠できる。なお、好ましい例では、型枠セパレータ１００は切込溝１４０において支持部１２０が本体１１０から切り離されるまで繰り返し折り曲げられる。
【００３０】
型枠セパレータ用折曲工具１０によれば、次のような作用および効果が得られる。
作業スペースに応じて把持部３０の姿勢を変更することができる。このため、作業スペースが狭い場合であっても型枠セパレータ１００を容易に折り曲げることができる。
【００３１】
(第２実施形態)
図８および図９を参照して、第２実施形態の型枠セパレータ用折曲工具３１０の構成について説明する。第２実施形態の型枠セパレータ用折曲工具３１０を構成する主な要素は把持部３２０、および、把持部３２０に連結される機能部３３０である。
【００３２】
把持部３２０はユーザに把持される部分である。把持部３２０の形状は任意に選択可能である。図８等に示される例では、把持部３２０は棒状である。把持部３２０を構成する材料は任意に選択可能である。好ましい例では、把持部３２０は型枠セパレータ１００(図２参照)を折り曲げるときに力が加えられた場合に変形しないように剛性の高い材料により構成される。その一例は、鉄である。把持部３２０の長さＬＦは任意に選択可能である。長さＬＦの最大値の一例は１０００ｍｍである。長さＬＦの最小値の一例は１５０ｍｍである。長さＬＦの好ましい一例は８００ｍｍである。
【００３３】
機能部３３０は把持部３２０の一方の端部３２１に取り付けられる。機能部３３０を構成する材料は任意に選択可能である。好ましい例では、機能部３３０は型枠セパレータ１００を折り曲げるときに変形しないように剛性の高い材料により構成される。その一例は、鉄である。機能部３３０には型枠セパレータ１００を挟むための複数の挟持部３４０が設けられる。機能部３３０に設けられる挟持部３４０の数は任意に選択可能である。図８等に示される第１例では、機能部３３０には、２つの挟持部３４０が設けられる。第２例では、機能部３３０には、３つ以上の挟持部３４０が設けられる。
【００３４】
２つの挟持部３４０のうちの一方の挟持部３４０は型枠セパレータ用折曲工具３１０の正面視において、把持部３２０の中心軸ＸＯに対して一方側に設けられる。２つの挟持部３４０のうちの他方の挟持部３４０は、型枠セパレータ用折曲工具３１０の正面視において、把持部３２０の中心軸ＸＯに対して他方側に設けられる。２つの挟持部３４０は型枠セパレータ１００を挟み込むことができる形状である。一例では、２つの挟持部３４０は型枠セパレータ１００の係止片１３０を挟み込むことができる形状である。なお、２つの挟持部３４０の形状は実質的に同一であるため、以下では、一方の挟持部３４０について説明し、他方の挟持部３４０の説明を省略する。
【００３５】
一方の挟持部３４０は第１挟持面３４０Ａ、第２挟持面３４０Ｂ、および、第３挟持面３４０Ｃを備える。第１挟持面３４０Ａは型枠セパレータ１００の支持部１２０の上面１２０Ａ(図２参照)と接触する面である。第１挟持面３４０Ａの長手方向の長さＬＧは任意に選択可能である。長さＬＧの最大値の一例は４０ｍｍである。長さＬＧの最小値の一例は１０ｍｍである。長さＬＧの好ましい一例は２５ｍｍである。
【００３６】
第２挟持面３４０Ｂは第１挟持面３４０Ａと対向する位置に設けられる。第２挟持面３４０Ｂは第１挟持面３４０Ａと平行に延びる。第２挟持面３４０Ｂは第２係止片１３２の端面１３２Ａと接触する面である。第２挟持面３４０Ｂの長手方向の長さＬＨは任意に選択可能である。長さＬＨの最大値の一例は２０ｍｍである。長さＬＨの最小値の一例は３ｍｍである。長さＬＨの好ましい一例は５ｍｍである。長さＬＨと長さＬＧとの関係は任意に選択可能である。図９等に示される第１例では、長さＬＨは長さＬＧよりも短い。好ましい例では、長さＬＨは長さＬＧの半分以下である。第２例では、長さＬＨは長さＬＧよりも長い、または、長さＬＧと等しい。
【００３７】
第３挟持面３４０Ｃは第２係止片１３２の外面１３２Ｂ(図２参照)と接触する面である。第３挟持面３４０Ｃは第１挟持面３４０Ａおよび第２挟持面３４０Ｂと繋がる。第３挟持面３４０Ｃの長さＬＩは任意に選択可能である。長さＬＩの最大値の一例は３０ｍｍである。長さＬＩの最小値の一例は２０ｍｍである。長さＬＩの好ましい一例は２５ｍｍである。より好ましい例では、長さＬＩは第２係止片１３２の長さＬＸ(図２参照)と実質的に等しい。
【００３８】
図９に示されるように、型枠セパレータ用折曲工具３１０の正面視において、一方の挟持部３４０の第３挟持面３４０Ｃと中心軸ＸＯとのなす角度(以下「角度θＡ」)と、他方の挟持部３４０の第３挟持面３４０Ｃと中心軸ＸＯとのなす角度(以下「角度θＢ」)とは異なる。角度θＡは一方の挟持部３４０の第３挟持面３４０Ｃに沿う線ＸＡと中心軸ＸＯとのなす角度である。角度θＢは他方の挟持部３４０の第３挟持面３４０Ｃに沿う線ＸＢと中心軸ＸＯとのなす角度である。角度θＢは角度θＡよりも大きい。
【００３９】
図１０〜図１７を参照して、型枠セパレータ用折曲工具３１０の使用方法の一例について説明する。なお、図１０〜図１７においては、一対の型枠２００のうちの上段型枠２１０の図示を省略している。
【００４０】
図１０および図１１に示されるように、型枠セパレータ１００の折り曲げ作業は、例えば、隣り合う基礎４００の間に型枠セパレータ用折曲工具３１０が挿入されることにより実施される。隣り合う基礎４００の間隔ＨＡは例えば、２５ｃｍである。なお、図１０〜図１７においては、隣り合う基礎４００のうちの一方の基礎４００については、脱枠が完了した状態を示している。
【００４１】
型枠セパレータ１００の折り曲げ作業においては、一方の挟持部３４０が第２係止片１３２を挟み込むように型枠セパレータ用折曲工具３１０がセットされる。このとき、第１挟持面３４０Ａは支持部１２０の上面１２０Ａと接触し、第２挟持面３４０Ｂは第２係止片１３２の端面１３２Ａと接触し、第３挟持面３４０Ｃは第２係止片１３２の外面１３２Ｂと接触する。
【００４２】
ユーザは把持部３２０を他方の基礎４００に接近する方向に回転させる。型枠セパレータ１００の支持部１２０は切込溝１４０を支点として、第２係止片１３２が下段型枠２２０から離間する方向に折り曲げられる。
【００４３】
型枠セパレータ１００が図１０および図１１に示される状態から図１２および図１３に示されるように折り曲げられた場合、型枠セパレータ用折曲工具３１０の把持部３２０が他方の基礎４００に接近し、型枠セパレータ用折曲工具３１０の回転が制限される。この場合、図１４および図１５に示されるように、ユーザは把持部３２０を中心軸ＸＡ回りに回転させ、他方の挟持部３４０が第２係止片１３２を挟み込むように型枠セパレータ用折曲工具３１０をセットする。図１６および図１７に示されるように、ユーザは把持部３２０を他方の基礎４００に接近する方向に再び回転させる。型枠セパレータ１００の支持部１２０は切込溝１４０を支点として、第２係止片１３２が下段型枠２２０からさらに離間する方向に折り曲げられる。型枠セパレータ１００の第２係止片１３２が下段型枠２２０から離間するため、下段型枠２２０を基礎から取り外すことができる。なお、好ましい例では、型枠セパレータ１００は切込溝１４０において支持部１２０が本体１１０から切り離されるまで折り曲げられる。
【００４４】
型枠セパレータ用折曲工具３１０によれば、次のような作用および効果が得られる。
複数の挟持部３４０のうちから作業スペースに応じた挟持部３４０を選択できる。このため、作業スペースが狭い場合であっても型枠セパレータ１００を容易に折り曲げることができる。
【００４５】
(変形例)
なお、上記実施形態は本発明に関する型枠セパレータ用折曲工具が取り得る形態の例示であり、その形態を制限することを意図していない。本発明に関する型枠セパレータ用折曲工具は上記実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００４６】
・把持部３０の構成は任意に変更可能である。第１実施形態の変形例では、把持部３０は長さが変更可能に構成される。第１変形例では、把持部３０は長さを延長するための部材である延長部材と連結可能に構成される。延長部材は把持部３０の他方の端部３２と連結される。第２変形例では、把持部３０は伸縮可能に構成される。第２変形例においては、把持部３０の長さＬＤを段階的に変更可能であることが好ましい。
【符号の説明】
【００４７】
１０    ：型枠セパレータ用折曲工具
２０    ：挟持部
２２Ａ  ：第１挟持面
２２Ｂ  ：第２挟持面
３０    ：把持部
４０    ：変更部
４１    ：ラチェット機構
５１    ：連結軸
１００  ：型枠セパレータ
３２０  ：把持部
３４０  ：挟持部
３４０Ａ：第１挟持面
３４０Ｂ：第２挟持面
３４０Ｃ：第３挟持面(挟持面)
【図１】
2019214910.tif 000003
【図２】
2019214910.tif 000004
【図３】
2019214910.tif 000005
【図４】
2019214910.tif 000006
【図５】
2019214910.tif 000007
【図６】
2019214910.tif 000008
【図７】
2019214910.tif 000009
【図８】
2019214910.tif 000010
【図９】
2019214910.tif 000011
【図１０】
2019214910.tif 000012
【図１１】
2019214910.tif 000013
【図１２】
2019214910.tif 000014
【図１３】
2019214910.tif 000015
【図１４】
2019214910.tif 000016
【図１５】
2019214910.tif 000017
【図１６】
2019214910.tif 000018
【図１７】
2019214910.tif 000019